(57)【要約】【課題】閉鎖型の建物解体時において、発生する粉塵を集めてから纏めて容易に廃棄できるようにする。【解決手段】解体建物１の上方の作業空間２を覆う天井部３及び周壁部４を備え、その周壁部４を内外二重構造にしてその内部に、作業空間２で発生して空中に浮遊する粉塵ｄが集められる集塵空間５を形成し、その集塵空間２の底部に集められた粉塵ｄを吸着する吸着材８を設ける。さらに、集塵空間５に噴霧して粉塵ｄを落下させる噴霧器７を備える。また、作業空間２に開口して粉塵ｄを吸引し、その吸引された粉塵ｄを集塵空間５に開口して排出する集塵吸引配管６を備える。そして、集塵空間５の吸着材８の上方にグレーチング床９を備える。【選択図】図２
2015218544.tif 000002
【特許請求の範囲】
【請求項１】
解体建物の上方の作業空間を覆う天井部及び周壁部を備え、
前記周壁部を内外二重構造にしてその内部に、前記作業空間で発生する粉塵が集められる集塵空間を形成し、
前記集塵空間の底部に前記集められた粉塵を吸着する吸着材を設けたことを特徴とする建物解体用集塵装置。
【請求項２】
前記集塵空間に噴霧して前記粉塵を落下させる噴霧器を備えることを特徴とする請求項１に記載の建物解体用集塵装置。
【請求項３】
前記作業空間に開口して粉塵を吸引し、その吸引された粉塵を前記集塵空間に開口して排出する集塵吸引配管を備えることを特徴とする請求項１または２に記載の建物解体用集塵装置。
【請求項４】
前記集塵空間の前記吸着材の上方にグレーチング床を備えることを特徴とする請求項１から３のいずれか一項に記載の建物解体用集塵装置。
【発明の詳細な説明】
【技術分野】
【０００１】
本発明は、建物解体用の集塵装置に関する。
【背景技術】
【０００２】
高層建物の解体の際、周辺への騒音・粉塵の低減や落下防止などのために、解体空間を閉鎖した解体工法が採用される場合があるが、その際、閉鎖された作業空間内で発生する浮遊粉塵に対しては対策を施すことはほとんどない。
閉鎖型解体工法の一つとして、例えば特許文献１に、建物の外側に設置される外郭体と、その内方に配置される内郭体と、その内方に配置されるシート状部材及び負圧除塵装置とを備える解体用装置が開示される。
【先行技術文献】
【特許文献】
【０００３】
【特許文献１】特開２０１０−２０３０５４号公報
【発明の概要】
【発明が解決しようとする課題】
【０００４】
しかし、閉鎖型解体工法では、内部の作業空間に開口が少ない場合、作業空間に粉塵が浮遊し、粉塵による作業環境の悪化が考えられる。
【０００５】
本発明の課題は、閉鎖型の建物解体時において、発生する粉塵を集めてから纏めて容易に廃棄できるようにすることである。
【課題を解決するための手段】
【０００６】
以上の課題を解決するため、請求項１に記載の発明は、
解体建物の上方の作業空間を覆う天井部及び周壁部を備え、
前記周壁部を内外二重構造にしてその内部に、前記作業空間で発生する粉塵が集められる集塵空間を形成し、
前記集塵空間の底部に前記集められた粉塵を吸着する吸着材を設けた、建物解体用集塵装置を特徴とする。
【０００７】
請求項２に記載の発明は、
請求項１に記載の建物解体用集塵装置であって、
前記集塵空間に噴霧して前記粉塵を落下させる噴霧器を備えることを特徴とする。
【０００８】
請求項３に記載の発明は、
請求項１または２に記載の建物解体用集塵装置であって、
前記作業空間に開口して粉塵を吸引し、その吸引された粉塵を前記集塵空間に開口して排出する集塵吸引配管を備えることを特徴とする。
【０００９】
請求項４に記載の発明は、
請求項１から３のいずれか一項に記載の建物解体用集塵装置であって、
前記集塵空間の前記吸着材の上方にグレーチング床を備えることを特徴とする。
【発明の効果】
【００１０】
本発明によれば、閉鎖型の建物解体時において、作業空間で発生する粉塵を集塵空間に集めてから吸着材に吸着して纏めて容易に廃棄することができる。
【図面の簡単な説明】
【００１１】
【図１】本発明を適用した建物解体用集塵装置の一実施形態の概略構成を示す縦断面図である。
【図２】図１の内外二重構造部の拡大図である。
【発明を実施するための形態】
【００１２】
以下、図を参照して本発明を実施するための形態を詳細に説明する。
（実施形態）
図１は本発明を適用した建物解体用集塵装置の一実施形態の概略構成を示すもので、１は解体建物、２は作業空間、３は天井部、４は周壁部、５は集塵空間、６は集塵吸引配管である。
【００１３】
図示のように、解体建物１の上方の解体作業用の作業空間２を覆う、鉄骨を組み上げてパネルで覆われた天井部３及び周壁部４を備え、その周壁部４を鉄骨及びパネルによる内外二重のダブルスキン構造にして、そのダブルスキン構造部内に集塵空間５が形成されている。
【００１４】
また、天井部３の下に沿って集塵吸引配管６を設けている。
この集塵吸引配管６は、矢印で示すように、作業空間２に複数個所で開口して、解体により空中を浮遊しているコンクリートや内装材等の粉塵を吸引し、その吸引された粉塵を周壁部４のダブルスキン構造部内の集塵空間５に開口して排出する。
具体的には、閉鎖された作業空間２の気流を制御する装置、あるいは自然換気（局所的に設けた開口の高低差）により、ダブルスキン構造部内の集塵空間５に粉塵を集める。
【００１５】
図２は内外二重構造部を拡大したもので、７は噴霧器、８は吸着材、９はグレーチング床、ｄは粉塵である。
【００１６】
図示のように、ダブルスキン構造部内の集塵空間５において、天井下に複数の噴霧器７を設置する一方、底部の全面に吸着材８を設置して、その吸着材８の上方の全面にグレーチング床９を設置する。
【００１７】
噴霧器７は、ミストあるいは固化材を噴霧する。
吸着材８は、粉塵ｄを吸着する機能を具備して、例えば図示しない仕切板の設置により仕切られたブロック状のもので、粉塵ｄの吸着後はブロック単位で取り出せるものとなっている。
グレーチング床９は、その格子状隙間を通して粉塵ｄを下方の吸着材８に落下させる。
【００１８】
このように、ダブルスキン構造による集塵空間５において、噴霧器７によりミストあるいは固化材を噴霧し、そのミストあるいは固化材が付着した粉塵ｄを下降させて吸着材８に吸着し、その吸着した粉塵ｄを吸着材８に一体化して固める。
【００１９】
以上において、解体建物１上の作業空間２を覆う天井部３及び周壁部４は、建物解体の進展に応じて解体建物１に沿って降下し、その際、解体作業用の作業空間２から図示しない扉を開いて作業員が集塵空間５に入ってグレーチング床９の上に載った状態で外部足場としても機能する。
【００２０】
以上、実施形態の建物解体用集塵装置によれば、解体建物１上の作業空間２を覆う天井部３及び周壁部４を備え、その周壁部４を内外二重のダブルスキン構造にして、そのダブルスキン構造部内に、作業空間２で発生して空中を浮遊する粉塵ｄが集められる集塵空間５を形成し、その集塵空間２の底部に集められた粉塵ｄを吸着する吸着材８を設けている。
従って、閉鎖型の建物解体時において、作業空間２で発生して空中に浮遊する粉塵ｄを天井部３から周壁部４の集塵空間５に集めて底部の吸着材８に吸着し、その吸着した粉塵ｄを吸着材８に一体固化した状態にして、纏めて容易に廃棄することができる。
【００２１】
すなわち、具体的には、作業空間２の天井下に開口して備える集塵吸引配管６によって、空中を浮遊する粉塵ｄを吸引し、その吸引された粉塵ｄを集塵空間５に開口して排出し、その集塵空間５の天井下に備える複数の噴霧器７によりミストあるいは固化材を噴霧して粉塵ｄを落下させることで、そのミストあるいは固化材が付着した粉塵ｄを底部の吸着材８に吸着して、その吸着した粉塵ｄを吸着材８に一体固化した状態にすることができる。
【００２２】
そして、その粉塵ｄが一体固化した状態の吸着材８ごと纏めて廃棄することができる。特に、仕切板の設置により仕切られたブロック状の吸着材８としておくことで、粉塵ｄの吸着固化後はブロック単位で吸着材８ごと取り出して、次々に纏めて容易に廃棄することができる。
【００２３】
また、解体建物１上の作業空間２を覆い、建物解体の進展に応じて解体建物１に沿って降下する天井部３及び周壁部４を、その周壁部４のダブルスキン構造部内の集塵空間５底部の吸着材８の上方に備えるグレーチング床９の上に作業員が載った状態で、外部昇降足場としても用いることができる。
【００２４】
（変形例）
以上の実施形態の他、具体的な細部構造等について適宜に変更可能であることは勿論である。
【符号の説明】
【００２５】
１  解体建物
２  作業空間
３  天井部
４  周壁部
５  集塵空間
６  集塵吸引配管
７  噴霧器
８  吸着材
９  グレーチング床
ｄ  粉塵
【図１】
2015218544.tif 000003
【図２】
2015218544.tif 000004